(57)【特許請求の範囲】
【請求項１】
ハナカンと背鈎とが取り付けられた仕掛け糸と、前記仕掛け糸の前記ハナカンを挟んで両側に一端と他端とがそれぞれ取り付けられた連結部とを有し、
前記連結部の一端又は他端の少なくとも一方が前記仕掛け糸に対して移動可能に取り付けられた釣用仕掛け。
【請求項２】
前記連結部の一端及び他端のいずれもが前記仕掛け糸に対して移動可能に取り付けられた請求項１に記載の釣用仕掛け。
【請求項３】
前記連結部の一端が前記仕掛け糸に対して移動可能に取り付けられ、前記連結部の他端が前記仕掛け糸に対して固定された請求項１に記載の釣用仕掛け。
【請求項４】
前記連結部の少なくとも一部分が線状部材から成り、当該線状部材を前記仕掛け糸に編み込むことによって前記連結部を前記仕掛け糸に移動可能に取り付ける請求項１から３のいずれか１項に記載の釣用仕掛け。
【請求項５】
前記背鈎が前記仕掛け糸に対して移動可能に取り付けられた請求項１から４のいずれか１項に記載の釣用仕掛け。
【請求項６】
前記連結部の一端又は他端のいずれか一方が前記ハナカンと前記背鈎との間で前記仕掛け糸に取り付けられた請求項１から５のいずれか１項に記載の釣用仕掛け。
【請求項７】
前記仕掛け糸に取り付けられた逆鈎をさらに有する請求項１から６のいずれか１項に記載の釣用仕掛け。
【請求項８】
前記仕掛け糸に取り付けられたイカリ鈎をさらに有する請求項１から７のいずれか１項に記載の釣用仕掛け。
【発明の詳細な説明】
【技術分野】
【０００１】
本発明は釣用仕掛けに関し、特に鮎釣りに適した仕掛けに関する。
【背景技術】
【０００２】
これまでに様々な鮎釣り用の仕掛けが提案されている。従来の鮎釣り用の仕掛けはノーマル仕掛けと背鈎仕掛けとに大別することができる。従来のノーマル仕掛けは、例えば特開２００３−１０２３５１号公報（特許文献１）に開示されている。特許文献１のノーマル仕掛けは、仕掛け糸にハナカンと逆鈎とイカリ鈎とを設けて成り、ハナカンをオトリ鮎の鼻部付近に取り付けるとともに逆鈎を尻びれ付近に取り付けて使用される。釣り人は竿の操作によって仕掛けが取り付けられたオトリ鮎を野鮎の方へ誘導し、オトリ鮎に攻撃を仕掛けた野鮎をイカリ鈎に掛けることができる。ノーマル仕掛けは、構造が単純であるため取り付けが容易であり、さらにオトリ鮎を所望の進路に誘導しやすいという長所を有する。一方、釣竿の操作時にハナカンへ上向きの力が作用するため、オトリ鮎が野鮎の棲息場所である川底を離れて水面方向へ移動しやすいという短所がある。
【０００３】
従来の背鈎仕掛けは例えば特開２００６−６７９２４号公報（特許文献２）に開示されている。特許文献２の背鈎仕掛けは、上述したノーマル仕掛けの構成に加えて、ハナカンと逆鈎との間に背鈎を備えている。この背鈎をオトリ鮎の背側に取り付けることにより、竿の操作によってオトリ鮎を誘導する際に、オトリ鮎の尾びれ側を上方に持ち上げ頭部が川底へ向くように姿勢を調整することができる。したがって、背鈎仕掛けを用いれば、オトリ鮎を野鮎が棲む川底方向へ誘導しやすいが、構成部品の点数が多く取り付けに時間を要することから、オトリ鮎が弱りやすいという短所がある。
【先行技術文献】
【特許文献】
【０００４】
【特許文献１】特開２００３−１０２３５１号公報
【特許文献２】特開２００６−６７９２４号公報
【発明の概要】
【発明が解決しようとする課題】
【０００５】
上述のように、従来のノーマル仕掛け及び背鈎仕掛けには一長一短があり、釣り人は両方の仕掛けを準備し釣り場の状況に応じて使い分ける必要がある。このような面倒を解消するため、本発明の様々な実施形態は、ノーマル仕掛けの形状と背鈎仕掛けの形状との間で組み替え可能な釣用仕掛けを提供する。
【０００６】
その他の課題は、下記の詳細な説明、添付図面等の記載から理解される。
【課題を解決するための手段】
【０００７】
本発明の一実施形態にかかる釣用仕掛けは、ハナカンと背鈎とが取り付けられた仕掛け糸と、前記仕掛け糸の前記ハナカンを挟んで両側に一端と他端とがそれぞれ取り付けられた連結部とを有し、前記連結部の一端又は他端の少なくとも一方が前記仕掛け糸に対して移動可能に取り付けられる。
【発明の効果】
【０００８】
本発明の様々な実施形態によって、ノーマル仕掛けの形状と背鈎仕掛けの形状との間で組み替え可能な釣用仕掛けが提供される。
【図面の簡単な説明】
【０００９】
【図１】本発明の一実施形態にかかる釣用仕掛けが取り付けられた釣竿の全体図
【図２】本発明の一実施形態にかかる釣用仕掛けの拡大図
【図３】本発明の一実施形態にかかる釣用仕掛けをノーマル仕掛けの形状にしてオトリ鮎に取り付けた図
【図４】本発明の一実施形態にかかる釣用仕掛けを背鈎仕掛けの形状にしてオトリ鮎に取り付けた図
【図５】本発明の一実施形態にかかる釣用仕掛けをノーマル仕掛けの形状から背鈎仕掛けの形状に組み替える手順を示す図
【図６】本発明の他の実施形態にかかる釣用仕掛けの拡大図
【発明を実施するための形態】
【００１０】
本発明の様々な実施形態について添付図面を参照して説明する。図１は本発明の一実施形態にかかる釣用仕掛け２０が取り付けられた釣竿１の全体図を示す。図示のとおり、釣竿１の穂先には天上糸２が取り付けられており、天上糸２には、水中糸３、仕掛け糸４、仕掛け糸５が、この順に連結されている。釣竿１は、例えば複数の竿管を継ぎ合わせて構成される長さ９〜１０ｍの鮎竿である。天上糸２は例えば市販の１〜１．５号の天上糸である。水中糸３は、天上糸２よりも細いことが通常であり、例えば０．３〜０．４号のナイロン糸又は０．１〜０．１５号のメタル糸が用いられる。仕掛け糸４は例えば１．２〜１．５号のハリスであり、仕掛け糸５は例えば１〜２号のハリスである。本明細書において説明される竿や仕掛けの寸法及び材質は例示に過ぎず、本発明の趣旨を逸脱しない範囲で異なる寸法又は材質のものを用いることができる。
【００１１】
本発明の一実施形態にかかる釣用仕掛け２０は、仕掛け糸４と、この仕掛け糸４に取り付けられたハナカン６、背鈎７及び逆鈎８とを含む。図示のとおり、ハナカン６、背鈎７及び逆鈎８は、仕掛け糸４の前部（釣竿１の穂先に近い側）から後部（釣竿１の穂先から遠い側）に向かってこの順に取り付けられる。本明細書及び特許請求の範囲においては、釣用仕掛けの向きに言及する際に、釣用仕掛けの釣竿１の穂先に近い側（釣竿１と連結される側）を前部又は前方と称し、釣竿１の穂先から遠い側（イカリ鈎９と連結される側）を後部又は後方と称することがある。これらの向き又は方向に関する言及は、釣用仕掛けを構成する各構成要素の配置を説明するための便宜的なものに過ぎず、本発明の範囲を限定することを意図するものではない。後述するように、ハナカン６、背鈎７、逆鈎８は、オトリ鮎の鼻部、背面、尻びれ付近にそれぞれ取り付けられる。ハナカン６及び背鈎７はナイロン糸等により仕掛け糸４に編み込まれ、これにより、ハナカン６及び背鈎７を仕掛け糸４に対して移動可能に取り付けることができる。仕掛け糸４の後方端部には、ハリス止め１１を介して仕掛け糸５が連結され、この仕掛け糸５の後方端部には野鮎を掛けるイカリ鈎９が取り付けられている。
【００１２】
仕掛け糸４にはさらに、ノーマル仕掛けの形状と背鈎仕掛けの形状とを組み替えるための連結部１０が取り付けられる。連結部１０は、両端の編み込み部分１０ａ、１０ｂが連結部分１０ｃで連結されて構成される。連結部１０は、線状の部材、例えばナイロンやポリエステル等の糸から成る。この線状部材を仕掛け糸４の外周に巻回し圧着させることで、連結部１０が仕掛け糸４に取付けられる。連結部１０のうち、ハナカン６の両側において仕掛け糸４の外周に巻回された部位が編み込み部分１０ａ、１０ｂを構成する。つまり、一実施形態において、編み込み部分１０ａと編み込み部分１０ｂとは、前記仕掛け糸４の前記ハナカン６を挟んで両側にそれぞれ取付けられる。例えば、連結部１０をハナカン６の前後で仕掛け糸４に編み込むことにより、仕掛け糸４のハナカン６よりも後方の部位に編み込み部分１０ａが形成されるとともに、仕掛け糸４のハナカン６よりも前方の部位に編み込み部分１０ｂが形成される。このように形成された連結部１０は、編み込み部分１０ａ、１０ｂと仕掛け糸４との間の摩擦により、通常の使用状態においては仕掛け糸４の長手方向への移動が規制される。一方、この摩擦力以上の力を編み込み部分１０ａ、１０ｂに対して仕掛け糸４の長手方向に加えることにより、摩擦力に打ち勝って編み込み部分１０ａ、１０ｂを仕掛け糸４の長手方向に移動させることができる。例えば、編み込み部分１０ａ、１０ｂを手で摘んだ状態で仕掛け糸４を引くことにより、当該摩擦力以上の力を仕掛け糸４の長手方向に加えることができる。このように、連結部１０は、編み込み部分１０ａ、１０ｂを介して、仕掛け糸４のハナカン６の前後に、仕掛け糸４に沿って移動可能に取り付けられる。
【００１３】
図２は、本発明の一実施形態にかかる釣用仕掛け２０の拡大図である。図２（Ａ）にはノーマル仕掛け形状に組み付けられた釣用仕掛け２０が示されており、図２（Ｂ）には背鈎仕掛け形状に組み付けられた釣用仕掛け２０が示されている。図２（Ａ）のノーマル仕掛けの形状において、仕掛け糸４をハナカン６の取付位置付近で折り曲げ、連結部１０の編み込み部分１０ａ、１０ｂを手で掴んでハナカン６から離れる方向に移動させることにより、釣用仕掛け２０を図２（Ｂ）に示す背鈎仕掛けの形状に組み替えることができる。上述したように、釣用仕掛け２０の使用時には編み込み部分１０ａ、１０ｂと仕掛け糸４との間の摩擦により連結部１０の移動が妨げられるので、一旦組み替えた後は背鈎仕掛けの形状が維持される。上述したノーマル仕掛けの形状から背鈎仕掛けの形状への組み替えを逆に行うことにより、背鈎仕掛けの形状からノーマル仕掛けの形状への組み替えを行うことも可能である。
【００１４】
図３及び図４はオトリ鮎に取り付けられた釣用仕掛け２０を示す。図３では釣用仕掛け２０がノーマル仕掛けの形状でオトリ鮎に取り付けられている。図示のとおり、ノーマル仕掛け形状の釣用仕掛け２０をオトリ鮎に取り付ける際には、ハナカン６をオトリ鮎の鼻部に取り付け、逆鈎８を尻びれ付近に取り付ける。背鈎７は、オトリ鮎への侵襲が少なく泳ぎを妨げない位置、例えば図示のように腹びれと尻びれとの間に取り付けられる。背鈎７は上述のように仕掛け糸４に対して移動可能に取り付けられるので、オトリ鮎への負担が小さい位置に背鈎７の位置を調整することができる。また、オトリ鮎のサイズに応じて背鈎７の位置を調整することもできる。
【００１５】
図３に示された状態から、ハナカン６や逆鈎８を取り外すことなく、釣用仕掛け２０を図４の背鈎仕掛けの形状に組み替えることができる。図３のノーマル形状の釣用仕掛け２０がオトリ鮎に取付けられた状態において、まず背鈎７をオトリ鮎から外し、続いて仕掛け糸４を後方に折り曲げて編み込み部分１０ａ、１０ｂをハナカン６から離れる方向へ移動させて、背鈎仕掛けの形状に組み替える。最後に、先ほどオトリ鮎から取り外した背鈎７をオトリ鮎の背面に移動させ、その移動させた位置でオトリ鮎に取り付け直すことにより、背鈎仕掛けのオトリ鮎への取り付けが完成する。
【００１６】
背鈎仕掛けでは、釣竿１の操作がハナカン６と背鈎７の両方を通じてオトリ鮎に伝達される。このとき、編み込み部分１０ａ、１０ｂの固定位置がハナカン６に近くなるほど釣竿１の操作はハナカン６に伝わりやすくなり、逆にこの固定位置がハナカン６から遠くなるほど釣竿１の操作は背鈎７に伝わりやすくなる。釣り人は、釣り場の状況やオトリ鮎の状態に応じて、背鈎仕掛けにおける編み込み部分１０ａ、１０ｂの位置を調整することができる。
【００１７】
背鈎仕掛けが取り付けられたオトリ鮎が泳ぐときには、連結部分１０ｃに大きな水圧が加わりやすい。本発明の一実施形態にかかる連結部１０は、ノーマル仕掛け形状において編み込み部分１０ａ、１０ｂがハナカン６の近傍に互いに隣接するように取り付けられているので、この編み込み部分１０ａ、１０ｂを連結する連結部分１０ｃの長さは、ハナカン６を仕掛け糸４に編み込んでいる編み込み部位の長さよりも長ければよい。このように、連結部分１０ｃの長さが、ハナカンと仕掛け糸４とを連結する編み込み部位の長さと同程度に短いので、背鈎仕掛け形状で使用するときに連結部分１０ｃが受ける水の抵抗を最小限に抑えることができる。
【００１８】
釣用仕掛け２０をノーマル仕掛けの形状から背鈎仕掛けの形状に組み替える手順について図５を参照してさらに詳細に説明する。図５（Ａ）にはノーマル仕掛け形状の釣用仕掛け２０が示されている。背鈎仕掛け形状に組み替える場合には、まず図５（Ｂ）に示すように、仕掛け糸４を後方に向かって折り曲げ、編み込み部分１０ａ、１０ｂをハナカン６から遠ざかる方向へ、図５（Ｃ）に示す位置まで移動させる。この位置で手を離すことによって、連結部１０が図５（Ｃ）の位置に係止される。この状態で、図５（Ｄ）に図示するように仕掛け糸４を引いて、編み込み部分１０ａ、１０ｂが仕掛け糸４の所望の位置にあることを確認することができる。この組み替え手順を逆に行うことにより、背鈎仕掛けの形状からノーマル仕掛けの形状へ組み替えることができる。
【００１９】
このように、本発明の一実施形態にかかる釣用仕掛け２０は、ノーマル仕掛けの形状と背鈎仕掛けの形状との間で組み替え可能である。したがって、釣り人は、本発明の一実施形態にかかる１つの釣用仕掛け２０を準備すればよく、従来のようにノーマル仕掛けと背鈎仕掛けを個別に準備する必要がない。また、釣用仕掛け２０の組み替えは、仕掛け糸４を折り曲げて連結部１０を移動させるだけで容易に短時間で完了することができる。したがって、ノーマル仕掛けと背鈎仕掛けを別個に準備してハナカンや各種鈎の取り付けをやり直す従来の手法と比べて、仕掛け交換時におけるオトリ鮎への負担を軽減することができる。
【００２０】
図６は、本発明の他の実施形態にかかる釣用仕掛け３０の拡大図である。図６（Ａ）にはノーマル仕掛け形状に組み付けられた釣用仕掛け３０が示され、図６（Ｂ）には背鈎仕掛け形状に組み付けられた釣用仕掛け３０が示されている。釣用仕掛け３０の構成要素のうち釣用仕掛け２０と同様のものについては図２と同様の参照符号を付し、詳しい説明を省略する。図６に示されるとおり、釣用仕掛け３０は、仕掛け糸４、ハナカン６、背鈎７、逆鈎８、及び連結部１３を含む。連結部材１３の一端には結び目１３ａが形成され、この結び目１３ａと他端の編み込み部分１３ｂとが連結部分１３ｃで連結されている。この結び目１３ａが仕掛け糸４のハナカン６よりも後方の部位に結び付けられ、編み込み部分１３ｂが仕掛け糸４のハナカン６よりも前方の部位に取り付けられる。編み込み部分１３ｂは、編み込み部分１０ａ、１０ｂと同様に、仕掛け糸４に移動可能に取り付けられる。このように、結び目１３ａは仕掛け糸４に対して固定されているが、前方側にある編み込み部分１３ｂは仕掛け糸４に対して移動可能に取り付けられている。
【００２１】
図６（Ａ）のノーマル仕掛けの形状において、仕掛け糸４をハナカン６の取付位置付近で後方に向かって折り曲げ、連結部１３の編み込み部分１３ｂをハナカン６から離れる方向に移動させることにより、釣用仕掛け３０をノーマル仕掛けの形状から図６（Ｂ）に示す背鈎仕掛けの形状に組み替えることができる。また、この操作を逆に行うことにより、背鈎仕掛けの形状をノーマル仕掛けの形状に組み替えることができる。
【００２２】
連結部材１３をその前後を入れ替えて仕掛け糸４に取り付けることも可能である。つまり、編み込み部分１３ｂを仕掛け糸４のハナカン６より後方側に取り付け、ハナカン６より前方側に結び目１３ａを結びつけてもよい。かかる構成によっても、上記の各実施形態と同様に編み込み部分１３ｂを仕掛け糸４に対して移動させることにより、ノーマル仕掛けの形状と背鈎仕掛けの形状とを組み替えることができる。
【００２３】
本発明の実施形態は、上記において明示的に説明された態様に限られない。本明細書で例示された構成及び操作手順に、本発明の趣旨を逸脱しない範囲で様々な変更を加えることができる。特に、本明細書では釣用仕掛け２０及び３０を鮎釣りに用いる場合を例に説明したが、本発明の様々な実施形態にかかる釣用仕掛けは鮎釣り以外にも使用可能である。また、連結部材２０、３０を編み込み以外の手法によって仕掛け糸４に対して移動可能に取り付けることが可能である。ここで具体的に説明した以外にも様々な変更が可能である。
【符号の説明】
【００２４】
１  釣竿
２  天上糸
３  水中糸
４、５  仕掛け糸
６  ハナカン
７  背鈎
８  逆鈎
９  イカリ鈎
１０、１３  連結部
１３ａ  結び目
１０ａ、１０ｂ、１３ｂ  編み込み部分
１０ｃ、１３ｃ  連結部分
１１  ハリス止め
２０、３０  釣用仕掛け
【図１】
0005436466.tif 000002
【図２】
0005436466.tif 000003
【図３】
0005436466.tif 000004
【図４】
0005436466.tif 000005
【図５】
0005436466.tif 000006
【図６】
0005436466.tif 000007